(57)【要約】【課題】ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システムを提供する。【解決手段】再生装置１においてＣＰＵ１６１は、映像データを表示装置２にＨＤＭＩを介して送信し、表示装置２においてＣＰＵ３１１は、画像表示可能な映像フォーマットの映像データか否かを判定し、判定結果を、ＣＥＣラインを介して再生装置１に通知する。再生装置１においてＣＰＵ１６１は、ＣＥＣラインを介して送信された判定結果を取得し、画像表示可能な映像フォーマットの映像データでない場合に、画像表示可能な映像フォーマット情報を記憶するフォーマット記憶部１６２２ａに記憶された映像フォーマット情報に対応する映像データを表示装置２に送信する。【選択図】図２
2008197529.tif 000002
【特許請求の範囲】
【請求項１】
映像データを複数の映像フォーマットで送受信可能なＨＤＭＩにより、データ送信機器とデータ受信機器とが相互に接続されるデータ送受信システムにおいて、
前記データ送信機器は、
前記データ受信機器において画像表示可能な映像フォーマット情報を記憶する記憶手段と、
前記データ受信機器に送信する映像データの映像フォーマットを選択する選択手段と、
前記ＨＤＭＩを介して、前記選択手段により選択された映像フォーマットの映像データを前記データ受信機器に送信する第１送信手段と、を備え、
前記データ受信機器は、
前記第１送信手段により、前記ＨＤＭＩを介して送信された映像データを受信する受信手段と、
前記受信手段により受信された映像データが、当該データ受信機器により画像表示可能な映像フォーマットの映像データか否かを判定する判定手段と、
前記判定手段による判定結果を、ＣＥＣラインを介して、前記データ送信機器に通知する通知手段と、を備え、
前記データ送信機器は、
前記通知手段により、前記ＣＥＣラインを介して送信された前記判定結果を取得する取得手段と、
前記取得手段により取得された前記判定結果に基づいて、前記受信手段により受信された映像データが、前記データ受信機器により画像表示可能な映像フォーマットの映像データでない場合に、前記記憶手段に記憶された映像フォーマット情報に対応する映像フォーマットの映像データを前記データ受信機器に送信する第２送信手段と、
を備えることを特徴とするデータ送受信システム。
【請求項２】
映像データを複数の映像フォーマットで送受信可能なＨＤＭＩにより、データ送信機器とデータ受信機器とが相互に接続されるデータ送受信システムにおいて、
前記データ送信機器は、
前記ＨＤＭＩを介して、映像フォーマットを順次切り替えた映像データを前記データ受信機器に送信する第１送信手段を備え、
前記データ受信機器は、
前記第１送信手段により、前記ＨＤＭＩを介して送信された映像データを受信する受信手段と、
前記受信手段により受信された映像データが、当該データ受信機器により画像表示可能な映像フォーマットの映像データか否かを判定する判定手段と、
前記判定手段による判定結果を、ＣＥＣラインを介して、前記データ送信機器に通知する通知手段と、を備え、
前記データ送信機器は、
前記通知手段により、前記ＣＥＣラインを介して送信された前記判定結果を取得する取得手段と、
前記取得手段により取得された前記判定結果に基づいて、前記受信手段により受信された映像データのうち、前記データ受信機器により画像表示可能な映像フォーマットに関する映像フォーマット情報を記憶する記憶手段と、
前記記憶手段に記憶された映像フォーマット情報に対応する映像フォーマットの映像データを前記データ受信機器に送信する第２送信手段と、
を備えることを特徴とするデータ送受信システム。
【発明の詳細な説明】
【技術分野】
【０００１】
本発明は、データ送信機器及びデータ受信機器との間で、設定された映像フォーマットにより映像データの送受信を行うデータ送受信システムに関する。
【背景技術】
【０００２】
従来、表示装置等のデータ受信機器に映像等のデータを送信するデータ送信機器において、データ受信機器が対応可能な映像フォーマットの中から適切な映像フォーマットを設定する技術が知られている。
【０００３】
例えば、特許文献１には、接続される映像表示装置やＡＶアンプ装置の電源ＯＮ時、接続される装置から、シンク機器の表示能力に合わせて解像度を設定するＥＤＩＤ情報を読み込み、ＥＤＩＤが以前読み取ったＩＤであれば、以前接続した時に記憶している映像、音声フォーマットを自動的に設定し、以前読み取ったことのないＩＤであれば、新規にフォーマット画面を出力し、ユーザーに設定させることにより、一度設定した装置ならば自動的に映像、音声のフォーマットを設定する映像音声出力装置が開示されている。
また、例えば、特許文献２には、複数種類の入出力インターフェースに対応可能なＡＶ機器において、入出力インターフェースに外部機器が接続された際に、フォーマット判定部が、外部機器が対応可能な映像、音声フォーマットを判定し、フォーマット判定部の判定結果に従って、変換可能なフォーマットのうち最も上位の規格なフォーマットを設定することにより、他機器と接続する際のユーザ設定作業を軽減することが可能とする映像音声出力装置が開示されている。
【特許文献１】特開２００５−１７５５７０号公報
【特許文献２】特開２００５―０５１５４７号公報
【発明の開示】
【発明が解決しようとする課題】
【０００４】
上記特許文献１及び特許文献２に開示されたフォーマット設定技術は、ＨＤＭＩ（High Definition Multimedia Interface）に備わるＤＤＣ(Display Data Channel)ライン等を用いたものである。しかしながら、当該ＤＤＣライン等が何らかの理由により使用できない場合に、代わりに映像フォーマットを設定することができる技術はこれまで開発されてこなかった。
【０００５】
ところで、近年多くのＡＶ機器に搭載されるＨＤＭＩでは、双方向のデータ接続が可能なＣＥＣ（Consumer Electronics Control）ラインが規格化されている。このＣＥＣプロトコルは、これまで、一台のリモコンで複数機器を制御する技術等に応用されているが、映像フォーマットを設定する技術に利用したものは無かった。
【０００６】
本発明の課題は、ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システムを提供することである。
【課題を解決するための手段】
【０００７】
上記課題を解決するため、請求項１に記載の発明は、映像データを複数の映像フォーマットで送受信可能なＨＤＭＩにより、データ送信機器とデータ受信機器とが相互に接続されるデータ送受信システムにおいて、
前記データ送信機器は、
前記データ受信機器において画像表示可能な映像フォーマット情報を記憶する記憶手段と、
前記データ受信機器に送信する映像データの映像フォーマットを選択する選択手段と、
前記ＨＤＭＩを介して、前記選択手段により選択された映像フォーマットの映像データを前記データ受信機器に送信する第１送信手段と、を備え、
前記データ受信機器は、
前記第１送信手段により、前記ＨＤＭＩを介して送信された映像データを受信する受信手段と、
前記受信手段により受信された映像データが、当該データ受信機器により画像表示可能な映像フォーマットの映像データか否かを判定する判定手段と、
前記判定手段による判定結果を、ＣＥＣラインを介して、前記データ送信機器に通知する通知手段と、を備え、
前記データ送信機器は、
前記通知手段により、前記ＣＥＣラインを介して送信された前記判定結果を取得する取得手段と、
前記取得手段により取得された前記判定結果に基づいて、前記受信手段により受信された映像データが、前記データ受信機器により画像表示可能な映像フォーマットの映像データでない場合に、前記記憶手段に記憶された映像フォーマット情報に対応する映像フォーマットの映像データを前記データ受信機器に送信する第２送信手段と、
を備えることを特徴とする。
【０００８】
請求項２に記載の発明は、映像データを複数の映像フォーマットで送受信可能なＨＤＭＩにより、データ送信機器とデータ受信機器とが相互に接続されるデータ送受信システムにおいて、
前記データ送信機器は、
前記ＨＤＭＩを介して、映像フォーマットを順次切り替えた映像データを前記データ受信機器に送信する第１送信手段を備え、
前記データ受信機器は、
前記第１送信手段により、前記ＨＤＭＩを介して送信された映像データを受信する受信手段と、
前記受信手段により受信された映像データが、当該データ受信機器により画像表示可能な映像フォーマットの映像データか否かを判定する判定手段と、
前記判定手段による判定結果を、ＣＥＣラインを介して、前記データ送信機器に通知する通知手段と、を備え、
前記データ送信機器は、
前記通知手段により、前記ＣＥＣラインを介して送信された前記判定結果を取得する取得手段と、
前記取得手段により取得された前記判定結果に基づいて、前記受信手段により受信された映像データのうち、前記データ受信機器により画像表示可能な映像フォーマットに関する映像フォーマット情報を記憶する記憶手段と、
前記記憶手段に記憶された映像フォーマット情報に対応する映像フォーマットの映像データを前記データ受信機器に送信する第２送信手段と、
を備えることを特徴とする。
【発明の効果】
【０００９】
請求項１に記載の発明によれば、データ送信機器において、記憶手段により、データ受信機器において画像表示可能な映像フォーマット情報が記憶され、選択手段により、データ受信機器に送信する映像データの映像フォーマットが選択され、第１送信手段により、ＨＤＭＩを介して、選択手段により選択された映像フォーマットの映像データがデータ受信機器に送信される。また、データ受信機器において、受信手段により、第１送信手段により、ＨＤＭＩを介して送信された映像データが受信され、判定手段により、受信手段により受信された映像データが、当該データ受信機器により画像表示可能な映像フォーマットの映像データか否かが判定され、通知手段により、判定手段による判定結果が、ＣＥＣラインを介して、データ送信機器に通知される。さらに、データ送信機器において、取得手段により、通知手段によりＣＥＣラインを介して送信された判定結果が取得され、第２送信手段により、取得手段により取得された判定結果に基づいて、受信手段により受信された映像データがデータ受信機器により画像表示可能な映像フォーマットの映像データでない場合に、記憶手段に記憶された映像フォーマット情報に対応する映像フォーマットの映像データがデータ受信機器に送信される。
したがって、ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システムを提供することができる。
【００１０】
請求項２に記載の発明によれば、データ送信機器において、第１送信手段により、ＨＤＭＩを介して、映像フォーマットが順次切り替えられた映像データがデータ受信機器に送信され、データ受信機器において、受信手段により、第１送信手段により、ＨＤＭＩを介して送信された映像データが受信され、判定手段により、受信手段により受信された映像データが、当該データ受信機器により画像表示可能な映像フォーマットの映像データか否かが判定され、通知手段により、判定手段による判定結果が、ＣＥＣラインを介して、データ送信機器に通知される。また、データ送信機器において、取得手段により、通知手段によりＣＥＣラインを介して送信された判定結果が取得され、記憶手段により、取得手段により取得された判定結果に基づいて、受信手段により受信された映像データのうち、データ受信機器により画像表示可能な映像フォーマットに関する映像フォーマット情報が記憶され、第２送信手段により、記憶手段に記憶された映像フォーマット情報に対応する映像フォーマットの映像データがデータ受信機器に送信される。
したがって、ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システムを提供することができる。
【発明を実施するための最良の形態】
【００１１】
以下、本発明の実施の形態を、図面を参照しながら説明する。
本発明におけるデータ送受信システムでは、データ送信機器とデータ受信機器とがＨＤＭＩ（High-Definition Multimedia Interface）規格のＨＤＭＩケーブルにより相互に接続されており、ＨＤＭＩにより、データ送信機器から所定の映像フォーマットの映像データが、音声データや制御信号とともにＴＭＤＳ（Transition Minimized Differential Signaling）方式でデータ受信機器側に送信される。当該ＨＤＭＩケーブルには、双方向データ通信の可能なＣＥＣラインが設けられており、以下の実施形態では、このＣＥＣラインを用いた簡便な方法で、データ送信機器側に、データ送信機器が対応する映像データの映像フォーマットを設定させるための構成及び方法について説明する。
【００１２】
（実施形態１）
実施形態１では、例えば、図１に示すように、データ送信機器としての再生装置１において再生された映像データが、データ受信機器としての表示装置２に送信され、表示装置２において、再生装置１から送信された映像データに基づく映像の表示が行われるデータ送受信システム１００について説明する。
【００１３】
具体的には、実施形態１のデータ送受信システム１００では、再生装置１から、所定の映像フォーマットの映像データが、ＨＤＭＩのＴＭＤＳチャネルにより表示装置２に送信されると、表示装置２において、再生装置１から送信される映像データの映像フォーマットに対応しているか否かが判定され、この判定結果がＨＤＭＩのＣＥＣラインにより再生装置１に送信される。そして、再生装置１において、表示装置２に送信した映像データの映像フォーマットが表示装置２の対応する映像フォーマットであった場合に、表示装置２が対応する当該映像フォーマットが記憶され、一方、表示装置２に送信した映像データの映像フォーマットが表示装置２の対応する映像フォーマットでなかった場合には、再生装置１から表示装置２に送信する映像データの映像フォーマットが、既に記憶されている表示装置２の対応する映像フォーマットに切り替えられるように構成されている。
【００１４】
（表示装置の構成）
まず、表示装置２の構成について説明する。表示装置２は、例えば、テレビジョン放送局又は再生装置１等の外部機器から入力される映像データ等に基づいて、映像を表示するテレビジョン受像機である。
当該表示装置２は、図２に示すように、映像データ等の各種データを入力する再生装置１とＨＤＭＩケーブルＣにより接続されており、再生装置１からＨＤＭＩケーブルＣを介して入力される映像データに基づいて、映像を表示する。
【００１５】
表示装置２は、再生装置１等の外部機器から送信される映像データ等を受信する通信部（受信手段、通知手段）２１と、アンテナ・チューナ等を備え、テレビジョン放送局から発信される放送信号を受信する信号受信部２２と、信号受信部２２から入力される映像データ等に対して、復調・デコード等の所定の信号処理を行う信号処理部２３と、入力されるデータを切換選択する切換部２４と、映像データに対して所定の映像処理を行う映像処理部２５と、音声データに対して所定の音声処理を行う音声処理部２６と、表示部２８に入力される映像データに対してＯＳＤ(On Screen Display)データを付加するＯＳＤ回路２７と、映像処理部２５から入力される映像データに基づいて映像を表示する表示部２８と、音声処理部２６から入力される音声データに基づいて音声を出力する音声出力部２９と、ユーザが各種指示を入力するためのキー操作部３０と、表示装置２の各部を統括制御する制御部３１と、等を備えて構成されている。
【００１６】
通信部２１は、各種インターフェースに対応する映像入出力端子群を備え、再生装置１の通信部１４から送信される映像データを、映像入出力端子を介して受信する。
具体的には、通信部２１には、ＨＤＭＩに対応するＨＤＭＩ端子２１ａが備わり、このＨＤＭＩ端子２１ａを介して、再生装置１から音声データ・制御信号とともに送信される映像データを受信する。また、通信部２１は、後述のＣＥＣフレームを、ＨＤＭＩケーブルＣのＣＥＣラインを介して、再生装置１に送信する。
【００１７】
切換部２４は、制御部３１による制御に従って、通信部２１に備わるＨＤＭＩ端子２１ａと、信号処理部２３との何れかに接続を切り替えることにより、入力されるデータを切換選択して、後段の映像処理部２５・音声処理部２６等に出力する。
【００１８】
映像処理部２５は、切換部２４から入力される映像データに対して各種の映像処理を行って、映像信号を生成するとともに、生成した映像信号を表示部２８に出力する。
音声処理部２６は、切換部２４から入力される音声データに対して各種の音声処理を行って、音声信号を生成するとともに、生成した音声信号を音声出力部２９に出力する。
ＯＳＤ回路２７は、表示部２８に出力される映像データに対して、メモリ部３１２等に格納された図示しないＯＳＤデータを合成する処理を行う。
【００１９】
表示部２８は、例えば、ＬＣＤ(Liquid Crystal Display)等の図示しないディスプレイを備えており、映像処理部２５から入力された映像データに基づく映像を当該ディスプレイに表示する。このとき、再生装置１から送信された映像データの映像フォーマットが、当該表示装置２が対応するフォーマットである場合のみ、表示部２８に再生装置１から送信された映像データに基づく映像が適切に表示されることとなる。一方、再生装置１から送信された映像データの映像フォーマットが、この表示装置２が対応する映像フォーマットでない場合には、表示部２８に映像データに基づく映像は正しく表示されない。
音声出力部２９は、図示しないスピーカ等を備え、音声処理部２６から入力された音声データに基づく音声をスピーカから出力する。
【００２０】
制御部３１は、ＣＰＵ（Central Processing Unit）３１１、メモリ部３１２、ＲＯＭ（Read Only Memory）３１３等を備えて構成されている。
【００２１】
ＣＰＵ３１１は、表示装置２の各部から入力された入力信号や、キー操作部３０における各種キーの押下操作に基づく入力操作信号等に応じて、ＲＯＭ３１３に格納された各種プログラムを実行するとともに、実行にかかるプログラムに基づいて表示装置２の各部に出力信号を出力することにより、表示装置２の動作全般を統括制御する。
【００２２】
メモリ部３１２は、例えば、ＲＡＭ（Random Access Memory）等の揮発性メモリからなるワークエリア３１２１を備えており、ＣＰＵ３１１によって各種プログラムが実行される際に生じる処理結果や、入力されたデータ等をこのワークエリア３１２１に記憶させる。また、メモリ部３１２は、ＥＰＲＯＭ（Erasable Programmable ROM）等の不揮発性メモリからなるデータエリア３１２２を備えている。
【００２３】
ＲＯＭ３１３は、例えば、不揮発性メモリからなるプログラム格納エリアを有しており、具体的には、受信プログラム３１３ａ、判定プログラム３１３ｂ、通知プログラム３１３ｃ等を格納している。
【００２４】
受信プログラム３１３ａは、例えば、ＣＰＵ３１１に、再生装置１における第１送信プログラム１６３ｂ（後述）の実行により、ＨＤＭＩを介して送信された映像データを受信する機能を実現させるためのプログラムである。
具体的には、ＣＰＵ３１１は、当該表示装置２に接続された再生装置１からＨＤＭＩケーブルＣを介して映像データが送信されると、当該映像データを通信部２１のＨＤＭＩ端子２１ａを介して受信する。
ＣＰＵ３１１は、かかる受信プログラム３１３ａを実行することにより、通信部２１とともに受信手段として機能する。
【００２５】
判定プログラム３１３ｂは、例えば、ＣＰＵ３１１に、受信プログラム３１３ａの実行により受信された映像データが、当該表示装置２により画像表示可能な映像フォーマットの映像データか否かを判定する機能を実現させるためのプログラムである。
具体的には、ＣＰＵ３１１は、前述の受信プログラム３１３ａの実行により、再生装置１から送信された映像データを通信部２１において受信すると、受信した映像データを、切換部２４を介して映像処理部２５に出力し、当該映像処理部２５に、再生装置１から送信された映像データに対する映像処理を行わせる。ＣＰＵ３１１は、映像処理部２５における映像処理に際して、再生装置１から送信された映像データの映像フォーマットが、この表示装置２の対応する映像フォーマットであるか否かを判断する。例えば、再生装置１から送信された映像データの映像フォーマットがハイビジョン放送信号等の１０８０ｉ（有効走査線１０８０本・インターレース方式）である場合、表示装置２が１０８０ｉに対応している場合には、受信された映像データが当該表示装置２により画像表示可能な映像フォーマットであると判定するとともに、表示装置２が１０８０ｉに対応していない場合には、受信された映像データが当該表示装置２により画像表示可能な映像フォーマットでないと判定する。
ＣＰＵ３１１は、かかる判定プログラム３１３ｂを実行することにより、映像処理部２５とともに判定手段として機能する。
【００２６】
通知プログラム３１３ｃは、例えば、ＣＰＵ３１１に、判定プログラム３１３ｂの実行による判定結果を、ＣＥＣラインを介して、再生装置１に通知する機能を実現させるためのプログラムである。
具体的には、ＣＰＵ３１１は、前述した判定プログラム３１３ｂの実行において、受信された映像データが当該表示装置２により画像表示可能な映像フォーマットである、又は、当該表示装置２により画像表示可能な映像フォーマットでない、と判定すると、この判定結果を示すデータであるＣＥＣフレームを生成し、生成したＣＥＣフレームを、通信部２１に備わるＨＤＭＩ端子２１ａから、ＨＤＭＩケーブルＣのＣＥＣラインにより再生装置１に送信させて、判定結果の通知を行う。
ＣＰＵ３１１は、かかる通知プログラム３１３ｃを実行することにより、通信部２１とともに通知手段として機能する。
【００２７】
（再生装置の構成）
次に、再生装置１の構成について説明する。再生装置１は、例えば、ＤＶＤ(Digital Versatile Disc)に記録された映像データ等の再生を行うＤＶＤプレーヤである。
当該再生装置１は、図２に示すように、この再生装置１において再生される映像データに基づく映像を表示する表示装置２と、ＨＤＭＩケーブルＣにより接続されており、再生される映像データを、ＨＤＭＩケーブルＣを介して表示装置２に送信する。
【００２８】
再生装置１は、例えば、図示しないＤＶＤに記録された映像データを読み出す再生部１１と、再生部１１において読み出された映像データに所定のデコード処理を行うデコーダ部１２と、デコーダ部１２から出力される映像データを、制御部１６に指示に従って所定の映像フォーマットに変換するフォーマット変換部１３と、フォーマット変換部１３から入力される映像データを表示装置２等の外部機器に送信する通信部（第１送信手段、取得手段、第２送信手段）１４と、ユーザが各種指示を入力するためのキー操作部１５と、再生装置１の各部を統括制御する制御部１６と、等を備えて構成されている。
【００２９】
再生部１１は、例えば、ＤＶＤの反射層にレーザ光を照射し、光電変換及び電流電圧変換によって反射光に応じた電圧信号を生成することにより、ＤＶＤに記録された映像データ等を読み出して、読み出した映像データ等をデコーダ部１２に出力する。
【００３０】
デコーダ部１２は、例えば、図示は省略するが、分離部、ビデオデコーダ、オーディオデコーダ等を備えて構成されており、分離部において、再生部１１から入力されたコンテンツデータを映像データ、音声データ、副映像データ等の複数のデータに分離し、分離した映像データをビデオデコーダに、映像データをオーディオデコーダに出力する。そして、ビデオデコーダにおいて、分離された映像データをＭＰＥＧ方式に従ってデコードし、オーディオデコーダにおいて、分離された音声データをＭＰＥＧオーディオ方式に従ってデコードする。
【００３１】
フォーマット変換部１３は、例えば、拡大フィルタ１３ａ、縮小フィルタ１３ｂ、画像メモリ１３ｃ等を備えて構成され、制御部１６による制御に従い、デコーダ部１２から出力される映像データを所定の映像フォーマットに変換して通信部１４に出力する。
具体的には、フォーマット変換部１３は、入力される映像データの映像フォーマットが送信する映像フォーマットよりも低解像度の場合、画像メモリ１３ｃに書き込んだ映像信号を読み出す際に拡大フィルタ１３ａにより拡大して、高解像度変換処理を行う。また、フォーマット変換部１３は、入力される映像データの映像フォーマットが送信する映像フォーマットよりも高解像度の場合、画像メモリ１３ｃに書き込む際に縮小フィルタ１３ｂにより縮小して、低解像度変換処理を行う。また、デコーダ部１２から入力される映像データのフォーマットが、フォーマット記憶部１６２２ａに記憶された映像フォーマットと同一の場合には、フォーマット変換部１３におけるフォーマット変換は行われないこととなる。
【００３２】
また、フォーマット変換部１３は、通常の映像出力処理において、デコーダ部１２から入力される映像データを、メモリ部１６２のフォーマット記憶部１６２２ａに記憶された映像フォーマットに変換する処理を行う。例えば、フォーマット記憶部１６２２ａに記憶された映像フォーマットが１０８０ｉであり、デコーダ部１２からの映像データのフォーマットが４８０ｉ（有効走査線４８０本・インターレース方式）である場合には、拡大フィルタ１３ａ及び画像メモリ１３ｃにより高解像度変換処理を行って、通信部１４に出力する。
【００３３】
通信部１４は、各種インターフェースに対応する映像入出力端子群を備え、フォーマット変換部１３から入力される映像データを、映像入出力端子を介して表示装置２に送信する。
具体的には、通信部１４には、ＨＤＭＩに対応するＨＤＭＩ端子１４ａが備わり、このＨＤＭＩ端子１４ａを介して、フォーマット変換部１３から入力される映像データを、音声データ・制御信号とともに表示装置２に送信する。また、通信部１４は、ＨＤＭＩケーブルＣのＣＥＣラインを介して、表示装置２から送信されるＣＥＣフレームを受信する。
【００３４】
キー操作部１５は、例えば、ユーザが各種指示を入力するための複数のキーを備えており、ユーザによりキーの押下操作がなされると、押下されたキーに対応する入力操作信号を制御部１６に出力する。
【００３５】
制御部１６は、ＣＰＵ１６１、メモリ部１６２、ＲＯＭ１６３等を備えて構成されている。
【００３６】
ＣＰＵ１６１は、再生装置１の各部から入力された入力信号や、キー操作部１５における各種キーの押下操作に基づく入力操作信号等に応じて、ＲＯＭ１６３に格納された各種プログラムを実行するとともに、実行にかかるプログラムに基づいて再生装置１の各部に出力信号を出力することにより、再生装置１の動作全般を統括制御する。
【００３７】
メモリ部１６２は、例えば、ＲＡＭ等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００３８】
また、メモリ部１６２は、ＥＰＲＯＭ等の不揮発性メモリからなるデータエリア１６２２を備えている。データエリア１６２２には、例えば、記憶手段としてのフォーマット記憶部１６２２ａが設けられている。
フォーマット記憶部１６２２ａは、表示装置２において画像表示可能な映像フォーマットに関する映像フォーマット情報を記憶する領域である。映像フォーマット情報は、例えば、図３に示すように、表示装置２を始めとするデータ受信機器の機器ＩＤ毎に、その機器が対応する映像フォーマットを記憶するテーブルに記憶され、表示装置２から送信されるＣＥＣフレームにおいて示される前述の判定プログラム３１３ｂの実行による判定結果に基づいて更新される。
【００３９】
ＲＯＭ１６３は、例えば、不揮発性メモリからなるプログラム格納エリアを有しており、具体的には、選択プログラム１６３ａ、第１送信プログラム１６３ｂ、取得プログラム１６３ｃ、第２送信プログラム１６３ｄ等を格納している。
【００４０】
選択プログラム１６３ａは、例えば、ＣＰＵ１６１に、表示装置２に送信する映像データの映像フォーマットを選択する機能を実現させるためのプログラムである。
具体的には、ＣＰＵ１６１は、例えば、表示装置２の表示部２８に表示させるメニュー画面上で、ユーザに、表示装置２に送信する映像データの映像フォーマットを選択させる。例えば、ユーザがリモコン等のキー操作部１５において、映像出力時の映像フォーマットを選択するため映像フォーマット選択画面を表示させるためのキー操作を行うと、ＣＰＵ１６１は、メモリ部１６２等の所定の領域に記憶された映像フォーマット選択画面用のＯＳＤデータを読み出して表示装置２に送信し、当該ＯＳＤデータを、ＯＳＤ回路２７により表示部２８に出力される映像信号に付加させることにより、表示装置２の表示部２８に映像フォーマット選択画面を表示させる。なお、当該ＯＳＤデータは、表示装置２側に記憶されていても良い。
図４は、表示装置２の表示部２８に表示される映像フォーマット選択画面を例示する図である。図４に示すように、映像フォーマット選択画面は、後述する第１送信プログラム１６３ｂの実行において表示装置２に送信する映像データのフォーマットを、ユーザに選択させるようになっている。具体的には、映像フォーマット選択画面では、ＨＤＭＩ規格の対応する４８０ｉ、４８０ｐ、１０８０ｉ、７２０ｐ、１０８０ｐの何れかが選択可能である。当該録画再生モード選択画面において、キー操作部１５におけるキー操作により、何れかの映像フォーマットがユーザにより選択されると、選択された映像フォーマットがワークエリア１６２１等の領域に一時的に記憶される。
ＣＰＵ１６１は、かかる選択プログラム１６３ａを実行することにより、選択手段として機能する。
【００４１】
第１送信プログラム１６３ｂは、例えば、ＣＰＵ１６１に、ＨＤＭＩを介して、選択プログラム１６３ａの実行により選択された映像フォーマットの映像データを、表示装置２に送信する機能を実現させるためのプログラムである。
具体的には、ＣＰＵ１６１は、選択プログラム１６３ａの実行により、ＨＤＭＩの対応する映像フォーマット４８０ｉ、４８０ｐ、１０８０ｉ、７２０ｐ、１０８０ｐの中から何れかが選択された場合に、リモコン等のキー操作部１５におけるユーザのキー操作により、映像データの再生が指示されると、再生部１１においてＤＶＤに記録された映像データ等を読み出して、読み出した映像データの映像フォーマットと、選択プログラム１６３ａの実行においてユーザにより選択された映像フォーマットを比較する。そして、ＣＰＵ１６１は、これらの映像フォーマットが一致していない場合には、フォーマット変換部１３に、映像データの映像フォーマットをユーザにより選択された映像フォーマットに変換する処理を行わせるとともに、両映像フォーマットが一致している場合にはフォーマット変換処理を行わせず、選択された映像フォーマット形式で映像データを通信部１４に出力する。さらに、ＣＰＵ１６１は、当該映像データを、通信部１４のＨＤＭＩ端子１４ａからＨＤＭＩケーブルＣを介して、ＴＭＤＳ方式で表示装置２に送信する。ＨＤＭＩにおいて、映像データは、ＹＣＣ方式等の色信号毎に、差動信号伝送を行うＴＭＤＳチャネルにより、ベースバンド形式で伝送される。
ＣＰＵ１６１は、かかる第１送信プログラム１６３ｂを実行することにより、通信部１４とともに第１送信手段として機能する。
【００４２】
取得プログラム１６３ｃは、例えば、ＣＰＵ１６１に、通知プログラム３１３ｃの実行により、ＣＥＣラインを介して送信された判定結果を取得する機能を実現させるためのプログラムである。
具体的には、ＣＰＵ１６１は、表示装置２に送信した映像データに応じて、表示装置２における前述した通知プログラム３１３ｃの実行により、表示装置２側から画像表示可能な映像フォーマットであるか否かの判定結果を示すＣＥＣフレームが、ＨＤＭＩケーブルＣのＣＥＣライン経由で送信されると、このＣＥＣフレームを通信部１４において受信して、判定結果を取得する。
ＣＰＵ１６１は、かかる取得プログラム１６３ｃを実行することにより、通信部１４とともに取得手段として機能する。
【００４３】
第２送信プログラム１６３ｄは、例えば、ＣＰＵ１６１に、取得プログラム１６３ｃの実行により取得された判定結果に基づいて、受信プログラム３１３ａの実行により受信された映像データが、表示装置２により画像表示可能な映像フォーマットの映像データでない場合に、フォーマット記憶部１６２２ａに記憶された映像フォーマット情報に対応する映像フォーマットの映像データを表示装置２に送信する機能を実現させるためのプログラムである。
具体的には、ＣＰＵ１６１は、前述した取得プログラム１６３ｃの実行により、表示装置２から送信されたＣＥＣフレームを受信すると、このＣＥＣフレームが、映像データが画像表示可能な映像フォーマットである旨を示すＣＥＣフレームでない場合に、表示装置２に送信した映像データが、表示装置２により画像表示可能な映像フォーマットの映像データでないとして、フォーマット記憶部１６２２ａの映像フォーマット情報において、表示装置２の機器ＩＤに対応づけられて記憶されている映像フォーマットを読み出し、再生部１１において再生される映像データを、当該映像フォーマットに変換させて、表示装置２に送信させる。また、ＣＰＵ１６１は、表示装置２から送信されたＣＥＣフレームが、映像データが画像表示可能な映像フォーマットである旨を示すＣＥＣフレームである場合には、表示装置２に送信した映像データが、表示装置２により画像表示可能な映像フォーマットの映像データであるとして、当該映像フォーマットを、フォーマット記憶部１６２２ａに記憶された映像フォーマット情報に、表示装置２の機器ＩＤと対応づけて記憶させる。
ＣＰＵ１６１は、かかる第２送信プログラム１６３ｄを実行することにより、通信部１４とともに第２送信手段及び記憶手段として機能する。
【００４４】
また、表示装置２に送信した映像データが、表示装置２により画像表示可能な映像フォーマットの映像データでないとされて、フォーマット記憶部１６２２ａの映像フォーマットに変換された映像データが表示装置２に送信される際、ＣＰＵ１６１は、ユーザにより選択された映像フォーマットでは画像が表示不可能であり、映像フォーマットが自動的に変更された旨をユーザに報知するためのＯＳＤ表示を、表示装置２の表示部２８上に行わせる。
【００４５】
次に、実施形態１のデータ送受信システム１００において、再生装置１及び表示装置２の間で行われる映像データ送受信処理について、図５を参照しながら説明する。なお、本映像データ送受信処理は、再生装置１における選択プログラム１６３ａの実行により、表示装置２に送信する映像データの映像フォーマットがユーザにより選択された後に、映像データの再生が指示された場合に行われる。また、初期起動時や、新規のデータ受信機器が接続された場合に行われても良い。
【００４６】
まず、ステップＳ１において、再生装置１のＣＰＵ１６１は、キー操作部１５におけるキー操作により、映像データの再生がユーザにより指示入力されると、ステップＳ２において、再生部１１においてＤＶＤを再生して映像データを読み出す。ＣＰＵ１６１は、再生部１１においてＤＶＤから読み出された映像データが、選択プログラム１６３ａの実行における映像フォーマット選択画面においてユーザに選択され、所定の領域に記憶された映像フォーマットと一致しない場合には、ステップＳ３において、フォーマット変換部１３により、ユーザにより選択された映像フォーマットに変換するフォーマット変換処理を行う。そして、ステップＳ４において、ＣＰＵ１６１は、選択された映像フォーマット形式の映像データを、通信部１４のＨＤＭＩ端子１４ａから、ＨＤＭＩケーブルＣを介して表示装置２に送信する送信処理を開始する。
【００４７】
次に、ステップＳ５において、表示装置２のＣＰＵ３１１は、再生装置１から送信された映像データを、通信部２１のＨＤＭＩ端子２１ａにより受信すると、ステップＳ６において、当該映像データに対して映像処理部２５において所定の映像処理を行うとともに、この映像データの映像フォーマットが、当該表示装置２において画像表示可能な映像フォーマットであるか否かを判定する。そして、ステップＳ７において、判定結果を示すＣＥＣフレームを生成し、生成したＣＥＣフレームを、通信部２１のＨＤＭＩ端子２１ａから、ＨＤＭＩケーブルＣのＣＥＣラインにより再生装置１に送信する。
【００４８】
ステップＳ８において、再生装置１のＣＰＵ１６１は、表示装置２からＣＥＣラインを介して送信されたＣＥＣフレームを受信すると、ステップＳ９において、受信したＣＥＣフレームが、表示装置２に送信した映像データが表示装置２において画像表示可能な映像フォーマットである旨を示すＣＥＣフレームであるか否かを判断する。ＣＰＵ１６１は、ステップＳ９において、受信したＣＥＣフレームが、表示装置２に送信した映像データが表示装置２において画像表示可能な映像フォーマットである旨を示すＣＥＣフレームであると判断すると（ステップＳ９；Ｙｅｓ）、ステップＳ１０において、表示装置２に送信した映像データの映像フォーマットを、映像フォーマット記憶部１６２２ａに記憶された映像フォーマット情報に、表示装置２の機器ＩＤとともに記憶させ、本処理を終了する。一方、ＣＰＵ１６１は、受信したＣＥＣフレームが、表示装置２に送信した映像データが表示装置２において画像表示可能な映像フォーマットである旨を示すＣＥＣフレームでないと判断すると（ステップＳ９；Ｎｏ）、ステップＳ１１において、映像フォーマット記憶部１６２２ａに記憶された映像フォーマット情報を参照して、表示装置２の機器ＩＤに対応づけられて記憶されている映像フォーマットを読み出し、ステップＳ１２において、フォーマット変換部１３において、再生部１１において再生される映像データを、読み出した映像フォーマットに変換するフォーマット変換処理を行う。そして、ステップＳ１３において、フォーマット変換を行った映像データを表示装置２に送信し、ステップＳ１４において、表示装置２の表示部２８上に、ユーザにより選択された映像フォーマットでは画像表示不可能であり、映像フォーマットが切り替えられたことを報知するＯＳＤ表示を行って、本処理を終了する。
【００４９】
以上説明した実施形態１のデータ送受信システム１００によれば、再生装置１において、フォーマット記憶部１６２２ａに、表示装置２において画像表示可能な映像フォーマット情報が記憶され、ＣＰＵ１６１による選択プログラム１６３ａの実行により、表示装置２に送信する映像データの映像フォーマットが選択され、ＣＰＵ１６１による第１送信プログラム１６３ｂの実行により、ＨＤＭＩを介して、選択プログラム１６３ａの実行により選択された映像フォーマットの映像データが表示装置２に送信される。また、表示装置２において、ＣＰＵ３１１による受信プログラム３１３ａの実行により、第１送信プログラム１６３ｂの実行により、ＨＤＭＩを介して送信された映像データが受信され、判定プログラム３１３ｂの実行により、受信プログラム３１３ａの実行により受信された映像データが、当該表示装置２により画像表示可能な映像フォーマットの映像データか否かが判定され、通知プログラム３１３ｃの実行により、判定プログラム３１３ｂの実行による判定結果が、ＣＥＣラインを介して、再生装置１に通知される。さらに、再生装置１において、ＣＰＵ１６１による取得プログラム１６３ｃの実行により、通知プログラム３１３ｃの実行によりＣＥＣラインを介して送信された判定結果が取得され、第２送信プログラム１６３ｄの実行により、取得プログラム１６３ｃの実行により取得された判定結果に基づいて、受信プログラム３１３ａの実行により受信された映像データが表示装置２により画像表示可能な映像フォーマットの映像データでない場合に、フォーマット記憶部１６２２ａに記憶された映像フォーマット情報に対応する映像フォーマットの映像データが表示装置２に送信される。
したがって、ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システム１００を提供することができる。
【００５０】
（実施形態２）
実施形態２では、例えば、図６に示すように、データ送信機器としての再生装置３において再生された映像データが、データ受信機器として表示装置４に送信され、表示装置４において、再生装置３から送信された映像データに基づく映像の表示が行われるデータ送受信システム２００について説明する。
【００５１】
具体的には、実施形態２のデータ送受信システム２００では、再生装置３から表示装置４に送信する映像データの映像フォーマットを最適化する処理が行われる。本データ送受信システム２００では、再生装置３から、映像データの映像フォーマットを順次に切り替えて、それぞれ異なる映像フォーマットの映像データが、ＨＤＭＩのＴＭＤＳチャネルにより、順に表示装置４に送信されるとともに、表示装置４において、再生装置３から送信される各映像データの映像フォーマットに対応するか否かが判定され、この判定結果がＨＤＭＩのＣＥＣラインにより再生装置３に送信される。さらに、判定結果に基づいて、再生装置３側に、表示装置４が対応する映像フォーマットが記憶されるとともに、記憶された映像フォーマットのうちの最も上位の映像フォーマットに映像データが変換され、表示装置４に送信される。
なお、以下の説明において、実施形態１のデータ送受信システム１００と同じ構成には同一符号を付すとともに、説明を省略することとする。
【００５２】
（表示装置の構成）
まず、表示装置４の構成について説明する。
当該表示装置４は、図７に示すように、映像データ等の各種データを入力する再生装置３とＨＤＭＩケーブルＣにより接続されており、再生装置３からＨＤＭＩケーブルＣを介して入力される映像データに基づいて、映像を表示する。
【００５３】
表示装置４は、再生装置３等の外部機器から送信される映像データ等を受信する通信部（受信手段、通知手段）２１と、アンテナ・チューナ等を備え、テレビジョン放送局から発信される放送信号を受信する信号受信部２２と、信号受信部２２から入力される映像データ等に対して、復調・デコード等の所定の信号処理を行う信号処理部２３と、入力されるデータを切換選択する切換部２４と、映像データに対して所定の映像処理を行う映像処理部２５と、音声データに対して所定の音声処理を行う音声処理部２６と、表示部２８に入力される映像データに対してＯＳＤデータを付加するＯＳＤ回路２７と、映像処理部２５から入力される映像データに基づいて映像を表示する表示部２８と、音声処理部２６から入力される音声データに基づいて音声を出力する音声出力部２９と、ユーザが各種指示を入力するためのキー操作部３０と、表示装置４の各部を統括制御する制御部４１と、等を備えて構成されている。
【００５４】
制御部４１は、ＣＰＵ４１１、メモリ部３１２、ＲＯＭ４１３等を備えて構成されている。
【００５５】
ＣＰＵ４１１は、表示装置４の各部から入力された入力信号や、キー操作部３０における各種キーの押下操作に基づく入力操作信号等に応じて、ＲＯＭ４１３に格納された各種プログラムを実行するとともに、実行にかかるプログラムに基づいて表示装置４の各部に出力信号を出力することにより、表示装置４の動作全般を統括制御する。
【００５６】
ＲＯＭ４１３は、例えば、不揮発性メモリからなるプログラム格納エリアを有しており、具体的には、受信プログラム４１３ａ、判定プログラム４１３ｂ、通知プログラム４１３ｃ等を格納している。
【００５７】
受信プログラム４１３ａは、例えば、ＣＰＵ４１１に、再生装置３における第１送信プログラム３６３ａ（後述）の実行により、ＨＤＭＩを介して送信された映像データを受信する機能を実現させるためのプログラムである。
具体的には、ＣＰＵ４１１は、当該表示装置４に接続された再生装置３からＨＤＭＩケーブルＣを介して映像データが送信されると、当該映像データを通信部２１のＨＤＭＩ端子２１ａを介して受信する。
ＣＰＵ４１１は、かかる受信プログラム４１３ａを実行することにより、通信部２１とともに受信手段として機能する。
【００５８】
判定プログラム４１３ｂは、例えば、ＣＰＵ４１１に、受信プログラム４１３ａの実行により受信された映像データが、当該表示装置４により画像表示可能な映像フォーマットの映像データか否かを判定する機能を実現させるためのプログラムである。
具体的には、ＣＰＵ４１１は、前述の受信プログラム４１３ａの実行により、再生装置３から送信された映像データを通信部２１において受信すると、受信した映像データを、切換部２４を介して映像処理部２５に出力し、当該映像処理部２５において、再生装置３から送信された映像データに対する映像処理を行う。ＣＰＵ４１１は、映像処理部２５における映像処理に際して、再生装置３から送信された映像データの映像フォーマットが、この表示装置４の対応する映像フォーマットであるか否かを判断する。
ＣＰＵ４１１は、かかる判定プログラム４１３ｂを実行することにより、判定手段として機能する。
【００５９】
通知プログラム４１３ｃは、例えば、ＣＰＵ４１１に、判定プログラム４１３ｂの実行による判定結果を、ＣＥＣラインを介して、再生装置３に通知する機能を実現させるためのプログラムである。
具体的には、ＣＰＵ４１１は、前述した判定プログラム４１３ｂの実行において、受信された映像データが当該表示装置４により画像表示可能な映像フォーマットである、又は、当該表示装置４により画像表示可能な映像フォーマットでない、と判定すると、この判定結果を示すデータであるＣＥＣフレームを生成し、生成したＣＥＣフレームを、通信部２１に備わるＨＤＭＩ端子２１ａから、ＨＤＭＩ規格におけるＣＥＣラインにより再生装置３に送信して、判定結果の通知を行う。
ＣＰＵ４１１は、かかる通知プログラム４１３ｃを実行することにより、通信部２１とともに通知手段として機能する。
【００６０】
（再生装置の構成）
次に、再生装置３の構成について説明する。
当該再生装置３は、図７に示すように、この再生装置３において再生される映像データに基づく映像を表示する表示装置４とＨＤＭＩケーブルＣにより接続されており、再生される映像データを、ＨＤＭＩケーブルＣを介して表示装置４に送信する。
【００６１】
再生装置３は、例えば、図示しないＤＶＤに記録された映像データを読み出す再生部１１と、再生部１１において読み出された映像データに所定のデコード処理を行うデコーダ部１２と、デコーダ部１２から出力される映像データを、制御部３６に指示に従って所定の映像フォーマットに変換するフォーマット変換部１３と、フォーマット変換部１３から入力される映像データを表示装置４等の外部機器に送信する通信部（第１送信手段、取得手段、第２送信手段）１４と、ユーザが各種指示を入力するためのキー操作部１５と、再生装置３の各部を統括制御する制御部３６と、等を備えて構成されている。
【００６２】
制御部３６は、ＣＰＵ３６１、メモリ部１６２、ＲＯＭ３６３等を備えて構成されている。
【００６３】
ＣＰＵ３６１は、再生装置３の各部から入力された入力信号や、キー操作部１５における各種キーの押下操作に基づく入力操作信号等に応じて、ＲＯＭ３６３に格納された各種プログラムを実行するとともに、実行にかかるプログラムに基づいて再生装置３の各部に出力信号を出力することにより、再生装置３の動作全般を統括制御する。
【００６４】
メモリ部１６２は、ＥＰＲＯＭ等の不揮発性メモリからなるデータエリア３６２２を備えている。データエリア３６２２には、例えば、記憶手段としてのフォーマット記憶部３６２２ａが設けられている。
フォーマット記憶部３６２２ａは、表示装置４において画像表示可能な映像フォーマットのうち、最も上位の規格の映像フォーマット情報を記憶する領域である。映像フォーマット情報は、例えば、図３に示すように、表示装置４を始めとするデータ受信機器の機器ＩＤ毎に、その機器が対応する映像フォーマットを記憶するテーブルとして記憶され、後述する取得プログラム３６３ｂの実行により、表示装置４から送信された判定結果に基づいて、後述する記憶プログラム３６３ｃの実行において更新される。
【００６５】
ＲＯＭ３６３は、例えば、不揮発性メモリからなるプログラム格納エリアを有しており、具体的には、第１送信プログラム３６３ａ、取得プログラム３６３ｂ、記憶プログラム３６３ｃ、第２送信プログラム３６３ｄ等を格納している。
【００６６】
第１送信プログラム３６３ａは、例えば、ＣＰＵ３６１に、ＨＤＭＩを介して、映像フォーマットを順次切り替えた映像データを表示装置４に送信する機能を実現させるためのプログラムである。
具体的には、ＣＰＵ３６１は、所定のタイミングで映像フォーマット最適化処理を開始すると、所定の領域に記憶された映像データを、フォーマット変換部１３において、ＨＤＭＩの対応する映像フォーマットのうち、下位の規格から上位の映像フォーマットに順次変換する処理を行うとともに、フォーマット変換が行われた映像データを通信部１４に出力する。そして、ＣＰＵ３６１は、各映像フォーマットの映像データを、通信部１４のＨＤＭＩ端子１４ａからＨＤＭＩケーブルＣを介して、ＴＭＤＳ方式で表示装置４に送信する。ＨＤＭＩにおいて、映像データは、ＹＣＣ方式等の色信号毎に、差動信号伝送を行うＴＭＤＳチャネルにより、ベースバンド形式で伝送される。
より具体的には、ＣＰＵ３６１は、ＨＤＭＩ規格の対応する４８０ｉ、４８０ｐ、１０８０ｉ、７２０ｐ、１０８０ｐの中から一の映像フォーマットに変換した映像データを表示装置４に送信すると、前述の判定プログラム４１３ｂの実行により、当該映像フォーマットが表示装置４において画像表示可能か否かが判定され、この判定結果を示すＣＥＣフレームが表示装置４側から送信されてくるまで待機する。そして、このＣＥＣフレームが表示装置４から送信されると、このＣＥＣフレームに示される判定結果を一時的に記憶するとともに、当該ＣＥＣフレームが、映像フォーマットが表示装置４において画像表示可能である旨を示すＣＥＣフレームである場合には、映像データを、画像表示可能な当該映像フォーマットの１つ上位の映像フォーマットに変換して表示装置４に送信する。一方、表示装置４から送信されたＣＥＣフレームが、映像フォーマットが表示装置４において画像表示可能でない旨を示すＣＥＣフレームである場合には、第１送信プログラム３６３ａにおける処理を終了する。
ＣＰＵ３６１は、かかる第１送信プログラム３６３ａを実行することにより、通信部１４とともに第１送信手段として機能する。
【００６７】
ここで、映像フォーマット最適化処理が開始されるタイミングは、例えば、ユーザによるキー操作部１５において、映像フォーマット最適化処理の開始を指示するキー操作が行われた場合や、ＨＤＭＩケーブルＣがＨＤＭＩ端子１４ａに挿入された場合、工場出荷後・設定初期化後における初起動時等である。
【００６８】
取得プログラム３６３ｂは、例えば、ＣＰＵ３６１に、通知プログラム４１３ｃの実行により、ＣＥＣラインを介して送信された判定結果を取得する機能を実現させるためのプログラムである。
具体的には、ＣＰＵ３６１は、表示装置４における前述した通知プログラム４１３ｃの実行により、表示装置４側から、映像データが表示装置４において画像表示可能な映像フォーマットである、又は、画像表示可能な映像フォーマットでない旨の判定結果を示すＣＥＣフレームが、ＨＤＭＩケーブルＣのＣＥＣライン経由で送信されると、このＣＥＣフレームを通信部１４において受信して、判定結果を取得する。
ＣＰＵ３６１は、かかる取得プログラム３６３ｂを実行することにより、通信部１４とともに取得手段として機能する。
【００６９】
記憶プログラム３６３ｃは、例えば、ＣＰＵ３６１に、取得プログラム３６３ｂの実行により取得された判定結果に基づいて、受信プログラム４１３ａの実行により受信された映像データのうち、表示装置４により画像表示可能な映像フォーマットに関する映像フォーマットを記憶する機能を実現させるためのプログラムである。
具体的には、ＣＰＵ３６１は、第１送信プログラム３６３ａの実行において送信された映像データに基づいて、表示装置４から送信されたＣＥＣフレームが、映像フォーマットが表示装置４において画像表示可能でない旨を示すＣＥＣフレームであり、第１送信プログラム３６３ａにおける処理を終了すると、第１送信プログラム３６３ａの実行において一時的に記憶されたＣＥＣフレームの示す判定結果に基づいて、表示装置４の対応する映像フォーマットのうち、最も上位の規格の映像フォーマットを、フォーマット記憶部３６２２ａの映像フォーマット情報として、表示装置４の機器ＩＤと対応づけて記憶する。
ＣＰＵ３６１は、かかる記憶プログラム３６３ｃを実行することにより、フォーマット記憶部３６２２ａとともに記憶手段として機能する。
【００７０】
第２送信プログラム３６３ｄは、例えば、ＣＰＵ３６１に、記憶プログラム３６３ｃの実行により記憶された映像フォーマット情報に対応する映像フォーマットの映像データを表示装置４に送信する機能を実現させるためのプログラムである。
具体的には、ＣＰＵ３６１は、ユーザによるキー操作部１５におけるキー操作に基づいて映像データの再生が指示されると、再生部１１においてＤＶＤに記録された映像データ等の読み出しを行い、読み出した映像データの映像フォーマットと、記憶プログラム３６３ｃの実行によりフォーマット記憶部３６２２ａに記憶された映像フォーマット情報の映像フォーマットと比較する。そして、これらの映像フォーマットが一致していない場合には、フォーマット変換部１３において映像データの映像フォーマットをユーザにより選択された映像フォーマットに変換する処理を行うとともに、両映像フォーマットが一致している場合にはフォーマット変換処理を行わず、選択された映像フォーマットで映像データを通信部１４に出力する。さらに、ＣＰＵ３６１は、当該映像データを、通信部１４のＨＤＭＩ端子１４ａからＨＤＭＩケーブルＣを介して、ＴＭＤＳ方式で表示装置４に送信する。
ＣＰＵ３６１は、かかる第２送信プログラム３６３ｄを実行することにより、通信部１４とともに第２送信手段として機能する。
【００７１】
次に、実施形態２のデータ送受信システム２００において、再生装置３及び表示装置４の間で行われる映像フォーマット最適化処理について、図８を参照しながら説明する。
【００７２】
再生装置３のＣＰＵ３６１は、所定のタイミングで、映像フォーマット最適化処理を開始すると、ステップＳ２１において、ｎの初期値を１とし、ステップＳ２２において、フォーマット変換部１３において、映像データをｎ番目に下位の規格の映像フォーマットに変換する処理を行う。
続くステップＳ２３において、ＣＰＵ３６１は、ｎ番目に下位の規格の映像フォーマットに変換された映像データを、通信部１４のＨＤＭＩ端子１４ａから、ＨＤＭＩケーブルＣを介して表示装置４に送信する。
【００７３】
ステップＳ２４において、表示装置４のＣＰＵ４１１は、再生装置３から送信された映像データを、通信部２１のＨＤＭＩ端子２１ａにより受信すると、ステップＳ２５において、当該映像データに対して映像処理部２５において所定の映像処理を行うとともに、この映像データの映像フォーマットが、当該表示装置４において画像表示可能な映像フォーマットであるか否かを判定する。そして、ステップＳ２６において、判定結果を示すＣＥＣフレームを生成し、生成したＣＥＣフレームを、通信部２１のＨＤＭＩ端子２１ａから、ＨＤＭＩケーブルＣのＣＥＣラインにより再生装置３に送信する。
【００７４】
ステップＳ２７において、再生装置３のＣＰＵ３６１は、表示装置４からＣＥＣラインを介して送信されたＣＥＣフレームを受信すると、ステップＳ２８において、受信したＣＥＣフレームが、表示装置４に送信した映像データが表示装置４において画像表示可能な映像フォーマットである旨を示すＣＥＣフレームであるか否かを判断する。ＣＰＵ３６１は、ステップＳ２８において、表示装置４に送信した映像データが表示装置４において画像表示可能な映像フォーマットである旨を示すＣＥＣフレームでないと判断すると（ステップＳ２８；Ｎｏ）、ステップＳ３２に進む。一方、ＣＰＵ３６１は、ステップＳ２８において、表示装置４に送信した映像データが表示装置４において画像表示可能な映像フォーマットである旨を示すＣＥＣフレームであると判断すると（ステップＳ２８；Ｙｅｓ）、ステップＳ２９において、この判定結果を一時的に記憶するとともに、ステップＳ３０において、ｎをインクリメントして、ステップＳ３１において、ｎ＞５であるか否かを判断する。ＣＰＵ３６１は、ステップＳ３１において、ｎ＞５でないと判断すると（ステップＳ３１；Ｎｏ）、ステップＳ２２に戻って以上の処理を繰り返す。一方、ＣＰＵ３６１は、ステップＳ３１において、ｎ＞５であると判断すると、ステップＳ３２に進む。ステップＳ３２において、ＣＰＵ３６１は、ステップＳ２９において一時的に記憶されたＣＥＣフレームの示す判定結果に基づいて、表示装置４の対応する映像フォーマットのうち、最も上位の規格の映像フォーマットを、フォーマット記憶部３６２２ａに、映像フォーマット情報として表示装置４の機器ＩＤと対応づけて記憶し、本処理を終了する。
その後、再生部１１において再生される映像データは、フォーマット記憶部３６２２ａに記憶された映像フォーマット情報に対応する映像フォーマットの形式で、表示装置４に送信されることとなる。
【００７５】
以上説明した実施形態２のデータ送受信システム２００によれば、再生装置３において、ＣＰＵ３６１による第１送信プログラム３６３ａの実行により、ＨＤＭＩを介して、映像フォーマットが順次切り替えられた映像データが表示装置４に送信され、表示装置４において、ＣＰＵ４１１による受信プログラム４１３ａの実行により、第１送信プログラム３６３ａの実行により、ＨＤＭＩを介して送信された映像データが受信され、ＣＰＵ４１１による判定プログラム４１３ｂの実行により、受信プログラム４１３ａの実行により受信された映像データが、当該表示装置４により画像表示可能な映像フォーマットの映像データか否かが判定され、通知プログラム４１３ｃの実行により、判定プログラム４１３ｂの実行による判定結果が、ＣＥＣラインを介して、再生装置３に通知される。また、再生装置３において、ＣＰＵ３６１による取得プログラム３６３ｂの実行により、通知プログラム４１３ｃの実行によりＣＥＣラインを介して送信された判定結果が取得され、記憶プログラム３６３ｃの実行により、取得プログラム３６３ｂの実行により取得された判定結果に基づいて、受信プログラム４１３ａの実行により受信された映像データのうち、表示装置４により画像表示可能な映像フォーマットに関する映像フォーマット情報が記憶され、第２送信プログラム３６３ｄの実行により、フォーマット記憶部３６２２ａに記憶された映像フォーマット情報に対応する映像フォーマットの映像データが表示装置４に送信される。
したがって、ＨＤＭＩにより相互に接続されるデータ送信機器及びデジタル受信機器間で、ＣＥＣラインを用いた簡便な構成で、適切な映像フォーマットをデータ送信機器側に設定することができるデータ送受信システム２００を提供することができる。
【００７６】
なお、本発明は、上記実施の形態で説明した形態に限られることなく、本発明の趣旨を逸脱しない範囲において、種々の改良並びに設計の変更を行っても良い。
例えば、実施形態１のデータ送受信システム１００において、第２送信プログラム３６３ｄの実行により、表示装置４に映像データが送信された後や、実施形態２のデータ送受信システム２００において記憶プログラム３６３ｃの実行により、表示装置４の対応するうち最も上位の規格の映像フォーマットが記憶された後に、再度、この映像フォーマットが、表示装置４において画像表示可能な映像フォーマットであるかを判別する確認処理を行っても良い。
また、実施形態２のデータ送受信システム２００における記憶プログラム３６３ｃの実行により記憶される映像フォーマットは、表示装置４が対応する映像フォーマットのうち最も上位の規格の映像フォーマットに上書きされる形態に限られず、表示装置４が対応可能な映像フォーマットを全て記憶する構成であっても良い。
また、実施形態１のデータ送受信システム１００の再生装置１及び表示装置２と、実施形態２のデータ送受信システム２００の再生装置３及び表示装置４は、それぞれＤＶＤプレーヤ、テレビジョン受像機に限られない。また、データ送信機器及びデータ受信機器も、それぞれ再生装置１、３及び表示装置２、４に限られない。
また、判定プログラム３１３ｂ、４１３ｂによる判定方法は、上記実施の形態で例示した映像データの解析に基づく方法に限られない。例えば、再生装置１、３から表示装置２、４に映像データを送信する際、同時に、当該映像データの映像フォーマットに関する情報を送信し、表示装置２、４側で、この情報に基づいて映像データの映像フォーマットを判定しても良い。
【図面の簡単な説明】
【００７７】
【図１】実施形態１のデータ送受信システムの全体構成を例示する図である。
【図２】実施形態１のデータ送受信システムにおける再生装置及び表示装置の要部構成を例示するブロック図である。
【図３】フォーマット記憶部に記憶される映像フォーマット情報を例示する図である。
【図４】表示部に表示される映像フォーマット選択画面の例示である。
【図５】実施形態１のデータ送受信システムにおいて行われる映像データ送受信処理を示すフローチャートである。
【図６】実施形態２のデータ送受信システムの全体構成を例示する図である。
【図７】実施形態２のデータ送受信システムにおける再生装置及び表示装置の要部構成を例示するブロック図である。
【図８】実施形態２のデータ送受信システムにおいて行われる映像フィーマット最適化処理を示すフローチャートである。
【符号の説明】
【００７８】
１００      データ送受信システム
１          再生装置（データ送信機器）
１４        通信部（第１送信手段、取得手段、第２送信手段）
１６２２ａ  フォーマット記憶部（記憶手段）
１６１      ＣＰＵ（選択手段、第１送信手段、取得手段、第２送信手段、記憶手段）
１６３ａ    選択プログラム（選択手段）
１６３ｂ    第１送信プログラム（第１送信手段）
１６３ｃ    取得プログラム（取得手段）
１６３ｄ    第２送信プログラム（第２送信手段、記憶手段）
２          表示装置（データ受信機器）
２１        通信部（受信手段、通知手段）
２５        映像処理部（判定手段）
３１１      ＣＰＵ（受信手段、判定手段、通知手段）
３１３ａ    受信プログラム（受信手段）
３１３ｂ    判定プログラム（判定手段）
３１３ｃ    通知プログラム（通知手段）
２００      データ送受信システム
３          再生装置（データ送信機器）
３６１      ＣＰＵ（第１送信手段、取得手段、記憶手段、第２送信手段）
３６２２ａ  フォーマット記憶部（記憶手段）
３６３ａ    第１送信プログラム（第１送信手段）
３６３ｂ    取得プログラム（取得手段）
３６３ｃ    記憶プログラム（記憶手段）
３６３ｄ    第２送信プログラム（第２送信手段）
４          表示装置（データ受信機器）
４１１      ＣＰＵ（受信手段、判定手段、通知手段）
４１３ａ    受信プログラム（受信手段）
４１３ｂ    判定プログラム（判定手段）
４１３ｃ    通知プログラム（通知手段）
Ｃ          ＨＤＭＩケーブル（ＨＤＭＩ）
【図１】
2008197529.tif 000003
【図２】
2008197529.tif 000004
【図３】
2008197529.tif 000005
【図４】
2008197529.tif 000006
【図５】
2008197529.tif 000007
【図６】
2008197529.tif 000008
【図７】
2008197529.tif 000009
【図８】
2008197529.tif 000010